(57)【要約】【課題】  回転画像表示体に対し着脱自在に構成した回転力付与体、及び、回転画像表示体を提供する。【解決手段】  回転力付与体１００は、文字・絵柄等による画像を含んで構成された画像表示シートであって、レンズアレイが形成されたレンズシートと、当該レンズシートに対応するレンズ対応画像とにより構成された前記画像表示シートを有する回転画像表示体に対し、回転力を付与する回転力付与部を有し、前記回転力付与部は、前記回転画像表示体に対し着脱自在に軸継ぎ可能に構成されており、組み立てる際には、前記回転力付与部の当接部を、前記回転画像表示体の被当接部に当接させて動力伝達可能に軸継ぎし、回転力を前記回転画像表示体に付与する。【選択図】図１
2020038243.tif 000002
【特許請求の範囲】
【請求項１】
文字・絵柄等による画像を含んで構成された画像表示シートであって、レンズアレイが形成されたレンズシートと、当該レンズシートに対応するレンズ対応画像とにより構成された前記画像表示シートを有する回転画像表示体に対し、回転力を付与する回転力付与部を有し、
前記回転力付与部は、前記回転画像表示体に対し着脱自在に軸継ぎ可能に構成されており、
組み立てる際には、前記回転力付与部の当接部を、前記回転画像表示体の被当接部に当接させて動力伝達可能に軸継ぎし、
回転力を前記回転画像表示体に付与することを特徴とする回転力付与体。
【請求項２】
前記回転力付与体の重心は、前記当接部より重力方向下部に位置することを特徴とする請求項１に記載の回転力付与体。
【請求項３】
前記回転力付与部の前記当接部と、前記回転画像表示体の前記被当接部の、一方へ磁石を備え他の一方へ当該磁石に引き寄せられる磁性体を備え、
組み立てる際には、
前記回転力付与部の当接部を、前記回転画像表示体の被当接部に当接させて磁力により軸継ぎし、
回転力を前記回転画像表示体に付与することを特徴とする請求項１又は２に記載の回転力付与体。
【請求項４】
渦巻バネを利用して動力とするゼンマイスプリング機構及び前記渦巻バネを巻き締める操作部を有し、
組み立てる際には、
前記操作部により前記渦巻バネを巻き上げた後に、前記回転力付与部の当接部を、前記回転画像表示体の被当接部に当接させて動力伝達可能に軸継ぎし、
回転力を前記回転画像表示体に付与することを特徴とする請求項１乃至３のいずれか一項に記載の回転力付与体。
【請求項５】
前記当接部と前記被当接部のうち一方には、他方と対向する箇所に嵌合凸部が形成されるとともに、前記他方には、前記一方と対向する箇所に、前記嵌合凸部が嵌合する嵌合凹部が形成されていることを特徴とする請求項１乃至４のいずれか一項に記載の回転力付与体。
【請求項６】
前記回転画像表示体は、
前記画像表示シートを含んで構成され、当該画像表示シートを取り外し可能に両端から保持する一対の保持部と、
前記保持部を回転可能に支持し、前記被当接部を有する支持部と、
前記支持部を載置する載置台と、を有して組立分解可能に構成されており、
組立てる際には、
前記支持部により前記保持部を回転可能に支持し、
前記載置台に前記支持部を載置させ、かつ、前記保持部に前記画像表示シートを保持した後に、
前記当接部を、前記支持部の前記被当接部に当接させて動力伝達可能に軸継ぎし、
回転力を前記回転画像表示体に付与することを特徴とする請求項１乃至５のいずれか一項に記載の回転力付与体。
【請求項７】
文字・絵柄等による画像を含んで構成された画像表示シートであって、レンズアレイが形成されたレンズシートと、当該レンズシートに対応するレンズ対応画像とにより構成された前記画像表示シートを有する回転画像表示体であって、回転力付与体から回転力を付与されて回転する前記回転画像表示体において、
前記回転力付与体は、
回転力を付与する回転力付与部を有し、
前記回転力付与部は、前記回転画像表示体に対し着脱自在に軸継ぎ可能に構成されており、
組み立てる際には、
前記回転力付与部の当接部を、前記回転画像表示体の被当接部に当接させて動力伝達可能に軸継ぎすることにより、前記回転力付与体から回転力を受けることを特徴とする回転画像表示体。
【請求項８】
前記回転力付与体の前記回転力付与部の前記当接部と、前記回転画像表示体の前記被当接部の、一方へ磁石を備え他の一方へ当該磁石に引き寄せられる磁性体を備え、
組み立てる際には、
前記回転力付与体の前記回転力付与部の当接部を、前記回転画像表示体の被当接部に当接させて磁力により軸継ぎすることにより、前記回転力付与体から回転力を受けることを特徴とする請求項７に記載の回転画像表示体。
【請求項９】
前記回転力付与体は、渦巻バネを利用して動力とするゼンマイスプリング機構及び前記渦巻バネを巻き締める操作部を有し、
組み立てる際には、
前記操作部により前記回転力付与体の前記渦巻バネを巻き上げた後に、前記回転力付与部の当接部を、前記回転画像表示体の被当接部に当接させて動力伝達可能に軸継ぎすることにより、前記回転力付与体から回転力を受けることを特徴とする請求項７又は８に記載の回転画像表示体。
【請求項１０】
前記当接部と前記被当接部とのうち一方には、他方と対向する箇所に嵌合凸部が形成されるとともに、前記他方には、前記一方と対向する箇所に、前記嵌合凸部が嵌合する嵌合凹部が形成されていることを特徴とする請求項７乃至９のいずれか一項に記載の回転画像表示体。
【請求項１１】
前記画像表示シートと、
前記画像表示シートを取り外し可能に両端から保持する一対の保持部と、
前記保持部を回転可能に支持し、前記被当接部を有する支持部と、
前記支持部を載置する載置台と、を有して組立分解可能に構成されており、
組立てる際には、
前記載置台に前記支持部を載置させ、かつ、前記保持部に前記画像表示シートを保持した後に、
前記当接部を、前記支持部の前記被当接部に当接させて動力伝達可能に軸継ぎすることにより、前記回転力付与体から回転力を受けることを特徴とする請求項７乃至１０のいずれか一項に記載の回転画像表示体。
【発明の詳細な説明】
【技術分野】
【０００１】
本発明は、回転画像表示体と、当該回転画像表示体に回転力を付与する回転力付与体に関し、特に、着脱自在に構成した回転力付与体及び回転画像表示体に関する。
【背景技術】
【０００２】
チェンジング、ムービングなどの光学効果画像を観察するための表示ディスプレイとしては、例えば片面全体にレンチキュラーレンズ加工が施された板材と、レンチキュラーレンズ対応の絵柄が印刷されたカードを貼り合わせた画像表示シートがある。このように構成された画像表示シートを、手に持って、目線の角度が変わるように振りながら見ると、レンチキュラーレンズ効果により観察者の視線移動に応じて絵柄が動くように見え、視覚効果を高めることができるものがある。一方で、画像表示シート自体をモーター等で動かすことにより、観察者の視認する角度を変化させて観察者に絵柄が動くように見せるものもある（特許文献１）。
【先行技術文献】
【特許文献】
【０００３】
【特許文献１】特開２００６−２３５４５８号公報
【発明の概要】
【発明が解決しようとする課題】
【０００４】
このような回転画像表示体において、観察者の視線の移動に頼らず絵柄が動くように見せるためには、視認角度を変化させる必要があり、外的動力による回転駆動などが提案されている。しかし、たとえばアクチュエーターを使用して駆動させる場合、モーター、減速機構、クラッチ機構、表示ディスプレイ部などを備えて表示ディスプレイを構成しなければならず、従来のモーター駆動の表示ディスプレイは、必要以上に大型化し、コスト高にもなるものであった。
一方、コストダウンのためにより簡単かつ軽量な筐体、かつベアリング不採用で構成すると、応力やギアのバックラッシュを原因とする回転ムラを生じやすい欠点があることが判明した。
【０００５】
本発明の目的は、上記問題等に鑑みて、回転画像表示体に対し着脱自在に構成した回転力付与体、及び、回転画像表示体を提供することにある。
【課題を解決するための手段】
【０００６】
本発明の回転力付与体は、文字・絵柄等による画像を含んで構成された画像表示シートであって、レンズアレイが形成されたレンズシートと、当該レンズシートに対応するレンズ対応画像とにより構成された前記画像表示シートを有する回転画像表示体に対し、回転力を付与する回転力付与部を有し、前記回転力付与部は、前記回転画像表示体に対し着脱自在に軸継ぎ可能に構成されており、組み立てる際には、前記回転力付与部の当接部を、前記回転画像表示体の被当接部に当接させて動力伝達可能に軸継ぎし、回転力を前記回転画像表示体に付与することを特徴とする。
【０００７】
前記回転力付与体の重心は、前記当接部より重力方向下部に位置するよう構成してもよい。
【０００８】
前記回転力付与部の前記当接部と、前記回転画像表示体の前記被当接部の、一方へ磁石を備え他の一方へ当該磁石に引き寄せられる磁性体を備え、組み立てる際には、前記回転力付与部の当接部を、前記回転画像表示体の被当接部に当接させて磁力により軸継ぎし、回転力を前記回転画像表示体に付与するよう構成してもよい。
【０００９】
渦巻バネを利用して動力とするゼンマイスプリング機構及び前記渦巻バネを巻き締める操作部を有し、組み立てる際には、前記操作部により前記渦巻バネを巻き上げた後に、前記回転力付与部の当接部を、前記回転画像表示体の被当接部に当接させて動力伝達可能に軸継ぎし、回転力を前記回転画像表示体に付与するよう構成してもよい。
【００１０】
前記当接部と前記被当接部のうち一方には、他方と対向する箇所に嵌合凸部が形成されるとともに、前記他方には、前記一方と対向する箇所に、前記嵌合凸部が嵌合する嵌合凹部が形成されるよう構成してもよい。
【００１１】
前記回転画像表示体は、前記画像表示シートを含んで構成され、当該画像表示シートを取り外し可能に両端から保持する一対の保持部と、前記保持部を回転可能に支持し、前記被当接部を有する支持部と、前記支持部を載置する載置台と、を有して組立分解可能に構成されており、組立てる際には、前記支持部により前記保持部を回転可能に支持し、前記載置台に前記支持部を載置させ、かつ、前記保持部に前記画像表示シートを保持した後に、前記当接部を、前記支持部の前記被当接部に当接させて動力伝達可能に軸継ぎし、回転力を前記回転画像表示体に付与するよう構成してもよい。
【００１２】
本発明の回転画像表示体は、文字・絵柄等による画像を含んで構成された画像表示シートであって、レンズアレイが形成されたレンズシートと、当該レンズシートに対応するレンズ対応画像とにより構成された前記画像表示シートを有する回転画像表示体であって、回転力付与体から回転力を付与されて回転する前記回転画像表示体において、前記回転力付与体は、回転力を付与する回転力付与部を有し、前記回転力付与部は、前記回転画像表示体に対し着脱自在に軸継ぎ可能に構成されており、組み立てる際には、前記回転力付与部の当接部を、前記回転画像表示体の被当接部に当接させて動力伝達可能に軸継ぎすることにより、前記回転力付与体から回転力を受けることを特徴とする。
【００１３】
前記回転力付与体の前記回転力付与部の前記当接部と、前記回転画像表示体の前記被当接部の、一方へ磁石を備え他の一方へ当該磁石に引き寄せられる磁性体を備え、組み立てる際には、前記回転力付与体の前記回転力付与部の当接部を、前記回転画像表示体の被当接部に当接させて磁力により軸継ぎすることにより、前記回転力付与体から回転力を受けるよう構成してもよい。
【００１４】
前記回転力付与体は、渦巻バネを利用して動力とするゼンマイスプリング機構及び前記渦巻バネを巻き締める操作部を有し、組み立てる際には、前記操作部により前記回転力付与体の前記渦巻バネを巻き上げた後に、前記回転力付与部の当接部を、前記回転画像表示体の被当接部に当接させて動力伝達可能に軸継ぎすることにより、前記回転力付与体から回転力を受けるよう構成してもよい。
【００１５】
前記当接部と前記被当接部とのうち一方には、他方と対向する箇所に嵌合凸部が形成されるとともに、前記他方には、前記一方と対向する箇所に、前記嵌合凸部が嵌合する嵌合凹部が形成されるよう構成してもよい。
【００１６】
前記画像表示シートと、前記画像表示シートを取り外し可能に両端から保持する一対の保持部と、前記保持部を回転可能に支持し、前記被当接部を有する支持部と、前記支持部を載置する載置台と、を有して組立分解可能に構成されており、組立てる際には、前記載置台に前記支持部を載置させ、かつ、前記保持部に前記画像表示シートを保持した後に、前記当接部を、前記支持部の前記被当接部に当接させて動力伝達可能に軸継ぎすることにより、前記回転力付与体から回転力を受けるよう構成してもよい。
【発明の効果】
【００１７】
本発明の回転力付与体によれば、回転画像表示体に対し着脱自在に構成できる。
本発明の回転画像表示体によれば、着脱自在な回転力付与体から回転力を受けることができる。
【図面の簡単な説明】
【００１８】
【図１】本発明の一実施形態にかかる回転力付与体の斜視図である。
【図２】回転力付与体の正面図である。
【図３】回転力付与体の背面図である。
【図４】回転力付与体の背面図である。
【図５】回転画像表示体の側面図である。
【図６】回転力付与体の使用状態を示す外観側面図である。
【図７】図６の概略断面図である。
【図８】図７に示す概略断面図の破線部で囲まれた部分Ｂの拡大図である。
【図９】画像表示シート及び回転力付与体を装着した回転画像表示体の説明図である。
【図１０】図９中矢印方向から観た画像表示シートの回転の様子を示す説明図である。
【図１１】図９中矢印方向から観た画像表示シートの回転の様子を示す説明図である。
【図１２】回転画像表示体及び回転力付与体を含む要部分解図である。
【図１３】保持部の平面図である。
【図１４】図１３に示す保持部の平面図の破線部で囲まれた部分Ｂの拡大図である。
【図１５】第２支持部の説明図である。（Ａ）は図５中矢印方向から観た第２支持部の平面図である。（Ｂ）は第２支持部の概略断面図である。（Ｃ）は第２支持部に具備する磁性体の一例を示す図である。
【図１６】他の例による保持部の平面図である。
【図１７】他の例による回転力付与体の説明図である。
【発明を実施するための形態】
【００１９】
本発明の一実施形態について、図面を参照して説明する。ただし、以下に説明する実施形態は、あくまでも例示であり、以下に明示しない種々の変形や技術の適用を排除する意図はない。即ち、本発明は、その効果を奏する限りにおいて種々変形(各実施例を組み合わせる等)して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２０】
図１は、本発明の一実施形態にかかる回転力付与体の斜視図であり、図２は、回転力付与体の正面図であり、図３及び図４は回転力付与体の背面図である。図５は、回転画像表示体の側面図であり、図６は、回転力付与体の使用状態を示す外観側面図である。
本実施形態の回転力付与体１００は、文字・絵柄等による画像を含んで構成された画像表示シート１０ａ、１０ｂ、１０ｄ、１０ｄであって、レンズアレイが形成されたレンズシートと、当該レンズシートに対応するレンズ対応画像とにより構成された前記画像表示シート１０ａ、１０ｂ、１０ｄ、１０ｄを有する回転画像表示体に対し、回転力を付与する回転力付与部１１０を有する。回転力付与部１１０は、回転画像表示体２００に対し着脱自在に軸継ぎ可能に構成されており、組み立てる際には、回転力付与部１１０の当接部１０２を、回転画像表示体２００の被当接部２０２に当接させて動力伝達可能に軸継ぎし、回転力を回転画像表示体２００に付与する。
【００２１】
本実施形態の回転画像表示体２００は、上述した画像表示シート１０ａ、１０ｂ、１０ｄ、１０ｄを有する回転画像表示体２００であって、回転力付与体１００から回転力を付与されて回転する回転画像表示体２００である。回転力付与体１００の回転力付与部１１０の当接部１０２を、回転画像表示体２００の被当接部２０２に当接させて動力伝達可能に軸継ぎすることにより、回転力付与体１００から回転力を受ける。
【００２２】
図７は、図６の概略断面図であり、図８は、図７に示す概略断面図の破線部で囲まれた部分Ｂの拡大図である。
回転力付与体１００は、回転力付与部１１０を有する。回転力付与部１１０は、回転力付与体１００に備えた動力発生装置から動力を得る。
本実施形態の回転力付与体１００は、動力発生装置の一例として、回転力付与体１００内部に渦巻バネを利用して動力とするゼンマイスプリング機構（不図示）を備える。ゼンマイスプリング機構は、薄い帯状の金属を渦状に巻いた渦巻ばね（スプリング）を巻き締めて弾性エネルギーを蓄え、弛もうとする力を利用して動力とし、従来公知のゼンマイスプリング機構を採用することができる。
【００２３】
回転力付与体１００は、筐体外部に渦巻バネを巻き締める操作部１０１を備え、操作部１０１を回転させることにより、筐体内部に備えた渦巻バネを巻き締めることができる。回転力付与部１１０の、回転画像表示体２００との当接部１０２には、磁石１０３が備えられている。本実施形態の例では、当接部１０２の内側の２箇所に磁石１０３が備えられている（図３、図４、図８等）。磁石１０３は、例えば、永久磁石、フェライトマグネット等である。
【００２４】
操作部１０１を回転させて、回転力付与部１１０内部に備えたゼンマイスプリング機構の渦巻バネを巻き締めた後に手を放すと、回転力付与部１１０が回転する。図３に示す例において、矢印方向に回転力付与部１１０が回転し、当接部１０２の磁石１０３が回転するよう構成されている（図３、図４）。
【００２５】
本発明において、画像表示シートとは、文字・絵柄等による画像を表示させるシートを意味する。画像表示シート１０ａ、１０ｂ、１０ｄ、１０ｄは、看板、掲示板、写真等様々な画像表示シートに対応可能である。特に、（１）マイクロレンズアレイが形成されたレンズシートや、（２）半円筒形状のシリンドリカルレンズアレイが並列配置されたレンズシートの一例としてのレンチキュラーシートと、シリンドリカルレンズの表面と反対側の面にレンチキュラーシートに対応するレンズ対応画像としてのレンチキュラー画像が配置されて構成される画像表示シートを用いれば、観察者の視線の移動に頼らず絵柄が動くように見せることができる回転画像表示体２００を実現することができ、有用である。本実施形態では、画像表示シートとしてレンチキュラーシートを用いたものを使用する。なお、レンチキュラーシートによる画像表示シートの構成は、従来公知の構成を採用することができ、その説明を省略する。
【００２６】
図９は、画像表示シート及び回転力付与体を装着した回転画像表示体２００の説明図である。図１０及び図１１は、図９中矢印方向から観た画像表示シートの回転の様子を示す説明図である。図中、画像表示シート１０ａ、１０ｂ、１０ｃ、１０ｄに表される画像（像）は図示を省略している。
【００２７】
図１２は、回転画像表示体及び回転力付与体を含む要部分解図である。図１３は、保持部２１１の平面図である。図１４は、図１３に示す保持部２１１の平面図の破線部で囲まれた部分Ｂの拡大図である。
画像表示シート１０ａ、１０ｂ、１０ｃ、１０ｄは、一対の板状の保持部２１１により、両端を挟んで取り外し可能に保持されている。本実施形態に示す例では、画像表示シート１０ａ、１０ｂ、１０ｃ、１０ｄを保持部２１１で筒状に保持して構成している。
【００２８】
回転画像表示体は、保持部２１１を回転可能に支持し、被当接部２０２を有する支持部の一例としての第１支持部２１３及び第２支持部２１４と、第１支持部２１３及び第２支持部２０２を載置する載置台２１０とを有して分解可能に構成されている。
保持部２１１の中央には、回転軸２１２を貫通させるための孔２１１ｂが設けられている。
また、保持部２１１は、画像表示シート１０ａ、１０ｂ、１０ｃ、１０ｄを差し込んで嵌める複数の嵌挿溝２１１ａが設けられている。
【００２９】
図１５は、第２支持部２１４の説明図である。図１５（Ａ）は図５中矢印方向から観た第２支持部２１４の平面図である。図１５（Ａ）は図５中の第２支持部２１４以外の部材を省略している。図１５（Ｂ）は図１５（Ａ）に示す第２支持部２１４の概略断面図である。図１５（Ｃ）は第２支持部２１４に具備する磁性体２０３の一例を示す図である。
【００３０】
回転画像表示体２００の第２支持部２１４は、回転力付与体１００が当接される被当接部２０２に磁石に引き寄せられる磁性体２０３を備える。例えば、回転画像表示体２００の第２支持部２１４の被当接部２０２内部に、磁性体２０３としての鉄板、磁石等を備える。図１５（Ｃ）は、被当接部２０２のうち、磁性体２０３を備える箇所の一例であり、同図の例では、被当接部２０２のうち、内部に磁性体２０３を具備する領域を網状で示した。
【００３１】
第２支持部２１４の中央には、回転軸２１２を差し込んで、回転軸２１２を第２支持部２１４に固定する軸受穴２０５が設けられている。
磁性体２０３が回転することにより、軸継ぎされた第２支持部２１４が回転し、当該第２支持部２１４に軸継された回転軸２１２も回転する。そして、一対の保持部２１１、及び当該保持部２１１に保持された画像表示シート１０ａ、１０ｂ、１０ｃ、１０ｄが回転するよう構成されている。
【００３２】
さらに、本実施形態では、回転力付与部１１０の当接部１０２と、回転画像表示体２００の被当接部２０２のうち一方には、他方と対向する箇所に嵌合凸部を形成した。そして、他方には、一方と対向する箇所に、嵌合凸部が嵌合する嵌合凹部を形成した。
具体的には、図１５（Ａ）乃至図１５（Ｃ）等に示す如く、回転画像表示体２００の被当接部２０２には、円形凸状の嵌合凸部２０４を形成した。また、図８等に示す如く、回転力付与部１１０の当接部１０２には、円形凹状の嵌合凹部１０４を形成した。
【００３３】
これら嵌合凸部２０４と嵌合凹部１０４により、回転力付与体１００と回転画像表示体２００との位置合わせをより簡単に行うことができる。位置合わせとは、具体的には、回転画像表示体２００の被当接部２０２の磁性体２０３と、回転力付与部１１０の当接部１０２の磁石１０３との位置合わせである。
【００３４】
組立ての際には、支持部の一例としての第１支持部２１３及び第２支持部２１４により保持部を回転可能に支持する。具体的には、まず、一対の保持部２１１の孔２１１ｂに、回転軸２１２を貫通させる。
次に、各保持部２１１の外側に突出した回転軸２１２の一端に第１支持部２１３を嵌め、他端に第２支持部２１４を嵌める。
次に、載置台２１０に第１支持部２１３と第２支持部２１４を載置させて、図５に示すような回転画像表示体２００を組み立てる。
そして、画像表示シート１０ａ、１０ｂ、１０ｃ、１０ｄを保持部２１１の嵌挿溝２１１ａに挿しこんで嵌める。なお、わかりやすさのため、図１３中、嵌挿溝２１１ａを縞模様で示した。
【００３５】
回転画像表示体２００を組み立てて、画像表示シートによる像を観察する際には、操作部１０１により渦巻バネを巻き上げた後に、回転力付与体１００を回転画像表示体２００に当接させる。すると、回転力付与部１１０の回転により、磁石１０３が回転し、この回転力が、磁石１０３に引き寄せられた磁性体２０３に与えられ、第２支持部２１４が回転し、画像表示シート１０ａ、１０ｂ、１０ｃ、１０ｄが回転する（図１０、図１１）。
【００３６】
本実施形態では、被当接部２０２に磁性体２０３を設け、当接部１０２に磁石１０３を設けたが、被当接部２０２に磁石を設け、当接部１０２に磁性体を設けてもよい。
【００３７】
画像表示シートは一枚でも複数でもよい。本実施形態のように、複数の画像表示シート１０ａ、１０ｂ、１０ｃ、１０ｄを回転させる場合には、回転を安定して行うために、各画像表示シート１０ａ、１０ｂ、１０ｃ、１０ｄは、略同じ重量であることが好ましい。
また、画像表示シートの枚数に合わせて保持部を設計変更することも可能である。図１６は他の例による保持部の平面図である。図１６に示す保持部を１対（２つ）用いることにより、３枚の画像表示シートの両端を挟んで筒状に保持することができる。
【００３８】
さらに、回転力付与体１００は、回転画像表示体２００に対して、しっかりと止着させないほうがよい。上述したように、当接部１０２と被当接部２０２を、磁石１０３と磁性体２０３による引き付けあう磁力程度に緩く固定することにより、回転画像表示体２００の回転の揺らぎを吸収して滑らかに回転させることができる。
【００３９】
磁石１０３と磁性体２０３による磁力により、回転力付与体１００を回転画像表示体２００に取り付けているが、回転力付与体１００の重量、又は、回転画像表示体２００の頑丈性等に応じて、他の掛着手段を設けてもよい。例えば、嵌合凸部２０４と嵌合凹部１０４によれば、位置合わせのみならず、回転力付与体１００を回転画像表示体２００に掛着させる掛着手段としても機能している。嵌合凸部２０４と嵌合凹部１０４により、磁力のみの場合と比べて、回転力付与体１００を安定的に取り付けることができる。
【００４０】
さらに、回転力付与体１００の重心を、当接部１０２より重力方向下部に位置させてもよい。より一層、回転画像表示体２００の回転の揺らぎを吸収して滑らかに回転させることができる。回転力付与体１００の重心を図１０及び図１１中下方向（重力方向下）に位置させると、回転力付与体１００が回転画像表示体２００の被当接部２０２にぶら下がるように揺れて、回転画像表示体２００の回転の揺らぎを吸収して、さらに滑らかに回転させることができる。
【００４１】
以上説明したように、本実施形態の回転力付与体１００によれば、回転画像表示体２００に対し着脱自在に構成できる。よって、回転画像表示体２００を組み立てて、画像表示シートによる像を観察する際に、回転力付与部１１０の当接部１０２を、回転画像表示体２００の被当接部２０２に当接させて動力伝達可能に軸継ぎし、回転力を回転画像表示体２００に付与して、画像表示シート１０ａ、１０ｂ、１０ｄ、１０ｄを回転させることができる。
【００４２】
また、ゼンマイスプイング機構の渦巻バネを巻き上げた後に当接部１０２を回転画像表示体２００の被当接部２０２に当接させるよう構成したので、一方の手で、渦巻バネを巻き締めるときに、他方の手で回転画像表示体２００本体を持ち上げる等の煩わしい動作を行う必要がなく、手元で渦巻バネの巻き上げ作業を行うことができ、簡単、かつ、安全に、渦巻バネを巻き上げて回転画像表示体２００に回転力を付与することができる。
さらに、回転力付与部１１０の当接部１０２を、回転画像表示体２００の被当接部２０２に当接させて磁力により軸継ぎしたので、仮に回転している回転画像表示体２００に不用意に触っても、磁石面がクラッチ効果を持つため、安全であり、回転画像表示体２００を損傷することもない。また、他のクラッチ機構を必要とすることもないため、コストダウンの効果もある。
【００４３】
また、本実施形態の回転画像表示体２００によれば、着脱自在な回転力付与体１００から回転力を受けることができる。
また、ゼンマイスプイング機構の渦巻バネ巻き上げ後の回転力付与体１００から、回転力が付与されるよう構成したので、回転画像表示体２００本体を持ち上げる等の動作が行われることなく、安全に回転力を受けることができる。
【００４４】
また、組立分解可能に構成したので、使用の際にのみ組立てて使用することができる。使用しないときには分解することができる。
また、観察者側が所定方向に目を動かさなくても、レンチキュラーによる動く画像を観察できるため、動く画像を簡単に観察することができる。特に、店舗の広告物としてより有用である。
【００４５】
画面が動くだけでなく、回転画像表示体２００の画像表示シート１０ａ、１０ｂ、１０ｄ、１０ｄ、保持部２１１等が回転するため、より一層人々の注意を惹きつけることができる。
さらに、各部材は紙、木材・金属材・プラスチックいずれの材料でも構成できるが、特に、紙、MDFその他の木材や、プラスチック複合材等を用いれば、比較的安価に製造できる。
【００４６】
また、本実施形態では、回転力付与部１１０の当接部１０２に嵌合凹部１０４を設け、回転画像表示体２００の被当接部２０２に嵌合凸部２０４を設けたが、回転力付与部１１０の当接部１０２に嵌合凸部を設け、回転画像表示体２００の被当接部２０２に嵌合凹部を設けてもよい。
【００４７】
さらに、回転力付与体１００に備えられる動力発生装置は、ゼンマイスプリング機構に限定されない。例えば、電動モータ・アクチュエータ、玩具で使用するプッシュバック等によるフリクション、ロウソクなどの上昇気流を利用した風力等を用いてもよい。
【００４８】
さらに、回転力付与体１００の形状に制限はない。但し、回転力付与体１００の重心を、当接部１０２より重力方向下部に位置させることが好ましい。
図１７に他の例による回転力付与体１００の説明図を示す。回転力付与体１００の重心を、当接部１０２より重力方向下部に位置させることにより、回転画像表示体２００の回転の揺らぎを吸収してより滑らかに回転させることができる。
【００４９】
さらに、本実施形態では、回転画像表示体２００に回転力を与える際、一方の保持部２１１から他方の保持部２１１に貫通させた回転軸２１２を利用したが、回転軸２１２はなくともよい。他の例として、回転画像表示体２００の保持部２１１から、左右に突き出ている形状でシャフトを形成してもよい。
【００５０】
また、画像表示シート１０ａ、１０ｂ、１０ｃ、１０ｄに所定の強度があり、回転軸等のシャフトがなくとも回転画像表示体２００を回転させることが可能である場合も、回転軸２１２は不要である。画像表示シート１０ａ、１０ｂ、１０ｃ、１０ｄを通じて一方の保持部２１１から他方の保持部２１１へ回転力が伝達され、回転画像表示体２００が回転すればよい。
【００５１】
本発明の適用範囲は上記実施形態に限定されることはない。本発明は、回転画像表示体に回転力を付与する回転力付与体、又は、回転力付与体から回転力を受ける回転画像表示体に関し広く適用することができる。
【符号の説明】
【００５２】
１００・・・回転力付与体
１０１・・・操作部
１０２・・・当接部
１０３・・・磁石
１０４・・・嵌合凹部
１１０・・・回転力付与部
２００・・・回転画像表示体
２０２・・・被当接部
２０３・・・磁性体
２０４・・・嵌合凸部
２０５・・・軸受穴
２１０・・・載置台
２１１・・・保持部
２１１ａ・・・嵌挿溝、２１１ｂ・・・孔
２１２・・・回転軸
２１３・・・第１支持部（支持部）
２１４・・・第２支持部（支持部）
１０ａ、１０ｂ、１０ｃ、１０ｄ・・・画像表示シート
【図１】
2020038243.tif 000003
【図２】
2020038243.tif 000004
【図３】
2020038243.tif 000005
【図４】
2020038243.tif 000006
【図５】
2020038243.tif 000007
【図６】
2020038243.tif 000008
【図７】
2020038243.tif 000009
【図８】
2020038243.tif 000010
【図９】
2020038243.tif 000011
【図１０】
2020038243.tif 000012
【図１１】
2020038243.tif 000013
【図１２】
2020038243.tif 000014
【図１３】
2020038243.tif 000015
【図１４】
2020038243.tif 000016
【図１５】
2020038243.tif 000017
【図１６】
2020038243.tif 000018
【図１７】
2020038243.tif 000019